(57)【特許請求の範囲】
【請求項１】
ケース本体と、ケース本体に蝶番を介して取着された蓋体と、容器内に挟持可能な物品を保持する保持部材とからなる収納容器において、
蓋体の蝶番側壁面である後壁の内面中央に、保持部材を装着する装着部が設けられ、
保持部材は、蓋体の装着部を形成する後壁と挟持板との間に嵌挿されて係合する装着片と、装着片に弾性変形部を介して連結され、挟持可能な物品を保持する保持部とを具えており、
保持部はケース本体の後壁の上端面に支持され、開蓋時には上方に突出することを特徴とする収納容器。
【請求項２】
ケース本体と、ケース本体に蝶番を介して取着された蓋体と、容器内に挟持可能な物品を保持する保持部材とからなる収納容器において、
ケース本体の蝶番側壁面である後壁の内面中央に、保持部材を装着する装着部が設けられ、
保持部材は、ケース本体の装着部を形成する後壁と挟持板との間に嵌挿されて係合する装着片と、装着片に弾性変形部を介して連結され、挟持可能な物品を保持する保持部とを具えており、
ケース本体の底壁の所定の位置に、上下に変形可能な可撓板が取着され、可撓板の上面には、保持部に当接する押上げ突部が設けられていることを特徴とする収納容器。
【請求項３】
可撓板は、ケース本体の底壁の所定の位置に形成された切欠部の端部に連設されていることを特徴とする請求項２記載の収納容器。
【発明の詳細な説明】
【技術分野】
【０００１】
本発明は、収納容器、特に容器内に挟持可能な物品を保持して収納する容器に関するものである。
【背景技術】
【０００２】
挟持可能な物品を収納する収納容器において、例えば、挟持可能な物品として、刷毛やブラシ等の化粧用具を容器内に保持して収納する容器は、従来より知られている（例えば、特許文献１参照）。
【特許文献１】特開平９−１３１２１６号公報
【発明の開示】
【発明が解決しようとする課題】
【０００３】
しかしながら、上記特許文献１記載の収納容器は、容器本体の底壁上面に設けた二対の保持片により化粧用具を挟持して保持しているため、保持が強いと、化粧用具を取り出すのに苦労するという問題があった。
また、保持が弱いと、容器の運搬中に化粧用具の保持が外れ、化粧用具の角が容器にぶつかり、音が発生したり、壊れたりするという問題があった。
【０００４】
本発明は、上記の問題点を解決することを課題として、化粧用具、その他の挟持可能な物品を収納する収納容器において、容器の運搬中には、物品の保持が外れることなく、容器を開蓋した際には、物品を取出しやすくすることができるようにした収納容器を提供することを目的とする。
【課題を解決するための手段】
【０００５】
本発明は、上記の課題を解決するため、収納容器として、ケース本体と、ケース本体に蝶番を介して取着された蓋体と、容器内に挟持可能な物品を保持する保持部材とからなる収納容器において、蓋体の蝶番側壁面である後壁の内面中央に、保持部材を装着する装着部が設けられ、保持部材は、蓋体の装着部を形成する後壁と挟持板との間に嵌挿されて係合する装着片と、装着片に弾性変形部を介して連結され、挟持可能な物品を保持する保持部とを具えており、保持部はケース本体の後壁の上端面に支持され、開蓋時には上方に突出することを特徴とする構成を採用する。
【０００６】
収納容器の別実施例として、ケース本体と、ケース本体に蝶番を介して取着された蓋体と、容器内に挟持可能な物品を保持する保持部材とからなる収納容器において、ケース本体の蝶番側壁面である後壁の内面中央に、保持部材を装着する装着部が設けられ、保持部材は、ケース本体の装着部を形成する後壁と挟持板との間に嵌挿されて係合する装着片と、装着片に弾性変形部を介して連結され、挟持可能な物品を保持する保持部とを具えており、ケース本体の底壁の所定の位置に、上下に変形可能な可撓板が取着され、可撓板の上面には、保持部に当接する押上げ突部が設けられていることを特徴とする構成を採用し、保持部を押上げる手段として、可撓板は、ケース本体の底壁の所定の位置に形成された切欠部の端部に連設されていることを特徴とする構成を付加する。
【発明の効果】
【０００７】
ケース本体と、ケース本体に蝶番を介して取着された蓋体とからなる収納容器において、ケース本体、または蓋体の後壁に装着部を設け、該装着部に係合する装着片と、装着片に弾性変形部を介して連結され、挟持可能な物品を保持する保持部とを具えた保持部材を装着することによって、容器の運搬中には、物品を保持し、物品の角が容器にぶつかることを防止することができるようになった。
【０００８】
また、容器を開蓋することで、保持部材の保持部とともに物品が開蓋した収納容器に対して上方に突出させることができるので、物品を保持部材から外し易くすることができるようになった。
【発明を実施するための最良の形態】
【０００９】
次に、本発明の収納容器について、実施例をあげ、図面を参照して説明する。
【実施例１】
【００１０】
図１において、Ａはケース本体、Ｂはケース本体Ａに蝶番を介して取着された蓋体、Ｃは容器内に挟持可能な物品ａを保持する保持部材である。
挟持可能な物品ａとして、ブラシや刷毛などの化粧用具、または口紅、リップクリームなどを収納した円筒状の物品、或いは印鑑などの棒状の物品などが含まれる。
【００１１】
ケース本体Ａは、底壁１と、底壁１の端縁に立設された前壁２と後壁３、および側壁とからなっている。
前壁２の中央部には、蓋開閉係止部４が設けられている。
【００１２】
後壁３には、仕切壁５を中央に残して切込まれた切欠部６が設けられ、切欠部６の両端面には、軸受孔７が穿孔されている。
【００１３】
蓋体Ｂは、頂壁１０と、頂壁１０の端縁に垂設された前壁１１と、後壁１２および側壁とからなっている。
前壁１１の下端面中央部には、ケース本体Ａの蓋開閉係止部４に係合する係止突部１３が配設されている。
【００１４】
後壁１２の下端面中央には、両側部にケース本体Ａの切欠部６側面に係合する軸受部１４を形成した蝶番片１５が配設され、軸受部１４の端面には、軸受孔１６が穿孔されている。
後壁１２の中央部には、後壁１２と挟持板１７ａとによって保持部材Ｃを装着する装着部１７が設けられている。
【００１５】
両側の軸受孔１６には、ケース本体Ａの後壁３の切欠部６の両側に穿孔された軸受孔７を通じて蝶番ピンが嵌挿され、蓋体Ｂは、蝶番片１５を介してケース本体Ａに廻動自在に取着されている。
【００１６】
保持部材Ｃは、図１、２に示すように、蓋体Ｂの装着部１７に係合する装着片２０と、装着片２０に弾性変形部２１を介して連結され、物品ａを保持する保持部２２とを具えている。
【００１７】
保持部２２は、中央に、下方に向かって形成された円弧状の下向き保持部２２ａと、下向き保持部２２ａの両側に、上方に向かって形成された円弧状の上向き保持部２２ｂ、２２ｃとを具えている。
【００１８】
次に、本実施例の収納容器の作用効果について説明する。
蓋体Ｂを開蓋する際には、まず、ケース本体Ａの蓋開閉係止部４を操作してケース本体Ａと蓋体Ｂの係止を外し、蓋体Ｂを廻動させて開蓋する。
【００１９】
蓋体Ｂを開蓋すると、蓋体Ｂとともに保持部材Ｃが廻動するが、保持部２２、および物品ａの自重により、弾性変形部２１を変形させるとともに、保持部２２の下向き保持部２２ａの外面が、ケース本体Ａの後壁３の仕切壁５上端面に当接し、保持部２２を支えるので、図３に示すように、保持部２２とともに、物品ａが開蓋したケース本体Ａに対して上方に突出する。
【００２０】
本実施例の収納容器は、物品ａを保持部材Ｃから外して使用する際、容器を開蓋することによって、保持部２２とともに物品ａがケース本体Ａから上方に突出し、物品ａを保持部材Ｃから外し易くなっている。
【００２１】
物品ａを収納容器に収納する際には、物品ａを保持部２２に保持させた後、蓋体Ｂを廻動させて閉蓋する。
【００２２】
蓋体Ｂを閉蓋した際には、蓋体Ｂとともに保持部材Ｃが廻動するとともに、保持部２２の下向き保持部２２ａの外面が、ケース本体Ａの後壁３の仕切壁５上端面に当接し、保持部２２を支えながら摺動する。
最終的には、保持部材Ｃの弾性変形部２１が元の形状に戻り、図１に示すように、蓋体Ｂをケース本体Ａに係合させ、閉蓋した収納容器となる。
【００２３】
本実施例の収納容器は、容器内に物品ａが保持部材Ｃを介して収納されるので、容器の運搬時に物品ａの角が容器にぶつかって、音を発生させたり、壊れたりすることを防止している。
【実施例２】
【００２４】
次に、第１実施例の保持部材をケース本体に装着した第２実施例について説明する。
本実施例の第１実施例と同一の構成部分には、同一の符号を付して図示して詳しい説明を省略し、相違点を中心に説明する。
【００２５】
図４において、Ａａはケース本体、Ｂａはケース本体Ａａに蝶番を介して取着された蓋体、Ｃａは容器内に物品ａを保持する保持部材である。
【００２６】
ケース本体Ａａは、底壁１と、底壁１の端縁に立設された前壁２と後壁３、および側壁とからなっている。
底壁の所定の位置には、長方形の切欠部２５が設けられ、該切欠部２５の長径端部に連設して可撓板２６が取着されている。
可撓板２６の上面には、押上げ突部２７が設けられている。
【００２７】
後壁３の仕切壁５の中央部には、仕切壁５と挟持板２８ａによって保持部材Ｃａを装着する装着部２８が設けられている。
【００２８】
保持部材Ｃａは、ケース本体Ａａの装着部２８に係合する装着片３０と、装着片３０に弾性変形部３１を介して連結され、物品ａを保持する保持部３２とを具えている。
【００２９】
保持部３２は、中央に、下方に向かって形成された円弧状の下向き保持部３２ａと、下向き保持部３２ａの両側に、上方に向かって形成された円弧状の上向き保持部３２ｂ、３２ｃとを具えている。
【００３０】
次に、本実施例の収納容器の作用効果について説明する。
蓋体Ｂａを開蓋する際には、まず、ケース本体Ａａの蓋開閉係止部４を操作してケース本体Ａａと蓋体Ｂａとの係止を外し、蓋体Ｂａを廻動させて開蓋する。
【００３１】
蓋体Ｂａを開蓋した後、ケース本体Ａａの可撓板２６を押上げることによって、押上げ突部２７を保持部材Ｃａの保持部３２の下向き保持部３２ａの外面に当接し、押し上げ、弾性変形部３１を変形させ、図５に示すように、保持部３２とともに物品ａが開蓋した収納容器に対して上方に突出して、物品ａを保持部材Ｃａから外し易くすることができる。
【００３２】
物品ａを収納容器に収納する際には、物品ａを保持部３２に保持させた後、可撓板２６をスライドさせ、保持部材Ｃａを元の形状に戻し、蓋体Ｂａを閉蓋する。
その他の作用効果は、実施例１と同じである。
【００３３】
上記各実施例の保持部材の保持部は、下方に向かって形成された円弧状の下向き保持部と、二つの上方に向かって形成された円弧状の上向き保持部とにより物品を挟んで保持するようにしたが、物品を保持できればよいので、１つの弾性板で形成されたＣ字型、または角形の保持部、或いは二つの角形の保持部でもよく、保持部の形状は上記各実施例の形状に限定されない。
【産業上の利用可能性】
【００３４】
本発明の収納容器は、容器内の保持部で挟持可能な物品を保持し、運搬時に、物品の角が容器の壁にぶつかって音を発生させたり、壊れたりすることを防止することができ、容器を開蓋した際には、物品が保持部から外しやすくしているので、ブラシや刷毛などの化粧用具、または口紅などの円筒状の物品、或いは印鑑などの棒状の物品などの挟持可能な物品を収納する収納容器として、幅広く利用することができる。
【図面の簡単な説明】
【００３５】
【図１】本発明の第１実施例の収納容器の断面側面図である。
【図２】保持部材の説明図で、（ａ）は上面図、（ｂ）は側面図である。
【図３】開蓋状態の収納容器の断面側面図である。
【図４】本発明の第２実施例の収納容器の断面側面図である。
【図５】開蓋状態の収納容器の断面側面図である。
【符号の説明】
【００３６】
Ａ、Ａａ    ケース本体
Ｂ、Ｂａ    蓋体
Ｃ、Ｃａ    保持部材
ａ          物品
１          底壁
２、１１    前壁
３、１２    後壁
４          蓋開閉係止部
５          仕切壁
６          切欠部
７、１６    軸受孔
１０        頂壁
１３        係止突部
１４        軸受部
１５        蝶番片
１７、２８  装着部
１７ａ、２８ａ  挟持板
２０、３０  装着片
２１、３１  弾性変形部
２２、３２  保持部
２２ａ、３２ａ  下向き保持部
２２ｂ，ｃ、３２ｂ，ｃ  上向き保持部
２５        切欠部
２６        可撓板
２７        押上げ突部
【図１】
0005073404.tif 000002
【図２】
0005073404.tif 000003
【図３】
0005073404.tif 000004
【図４】
0005073404.tif 000005
【図５】
0005073404.tif 000006